(57)【要約】【課題】掛布団などの清掃の対象物から塵やほこりなどを良好に叩きだし、揺り動かしながら吸引し、吸引口が塞がれにくく優れた吸引性能を維持できる掃除機を提供する。【解決手段】本体１０とダストボックス３０とを備え、該本体１０が、ベース１１と、上蓋１４と、モーター１３と、一対の叩き部２０と、殺菌ライト座４０と、第一吸引口１２１と、排気口１１５と、前方溝１１２と、底溝１１３と、を有し、ダストボックス３０が、気道３６と、開口３４１と、弁体３４と、第二吸引口３２とを有して構成される。一対の叩き部２０は、支柱２１ｂと、パッド部２１ａと、を各々備え、一対の叩き部２０が並列に設けられた前方溝１１２は、ベース１１の底部側面の端縁部に凹設され、底溝１１３は、ベース１１の底部に前方溝１１２に貫通して設けられ、第一吸引口１２１を備えた底蓋１２により被覆されている。【選択図】図３
2016034487.tif 000002
【特許請求の範囲】
【請求項１】
本体とダストボックスとを備え、
前記本体は、ベースと、上蓋とを有し、
前記ベースは、モーターと、複数の叩き部と、殺菌ライト座と、吸引口と、排気口と、前方溝と、底溝と、を有し、
前記前方溝は、前記ベースの底部側面の端縁部に凹設され、
前記前方溝内に、前記複数の叩き部が並列に設けられ、
前記複数の叩き部は、上下方向に揺動する支柱と、対象物に突き当てるパッド部と、を各々備え、
前記底溝は、前記ベースの底部に前記前方溝に貫通して設けられ、該底溝に、前記吸引口が設けられ、
前記本体内には、前記モーターの外周に設けられた排気熱吸収板を介して前記モーターの排気熱を吸収した排気を前記排気口に導く排気路が設けられ、
前記排気路内に、前記排気の排気熱を吸収する吸熱部と、前記ベースから露出し前記対象物に接触させて熱を伝える伝熱面とを有する熱吸収部材を配置したことを特徴とする掃除機。
【請求項２】
前記排気路内であって、前記モーターと前記熱吸収部材との間に、フィルター部材を配置したことを特徴とする請求項１に記載の掃除機。
【請求項３】
前記ダストボックスは、前記殺菌ライト座の上面に近接して配置され、該殺菌ライト座と対向する壁面に、該殺菌ライト座からの光を透過させる透過部を設けたことを特徴とする請求項１または２に記載の掃除機。
【請求項４】
本体とダストボックスとを備え、
前記本体は、ベースと、上蓋とを有し、
前記ベースは、モーターと、複数の叩き部と、殺菌ライト座と、第一吸引口と、排気口と、前方溝と、底溝と、を有し、
前記ダストボックスは、前記本体の前記上蓋に設けられ、該ダストボックス内に形成され前記排気口に貫通する気道と、該気道および前記第一吸引口の間に設けられた開口と、該開口に設けられた逆止弁と、前記ダストボックスの一端に設けられ前記気道に貫通する第二吸引口と、を有して構成され、
複数の前記叩き部は、上下方向に揺動する支柱と、対象物に突き当てるパッド部と、を各々備え、
前記前方溝は、前記ベースの底部側面の端縁部に凹設され、該前方溝内に、複数の前記叩き部が並列に設けられ、
前記底溝は、前記ベースの底部に前記前方溝に貫通して設けられるとともに、前記第一吸引口を備えた底蓋により被覆されていることを特徴とする掃除機。
【請求項５】
前記ダストボックスには、前記第二吸引口と前記気道との間に、前記第二吸引口と前記気道とを貫通する流動口および該流動口よりも開口面積の小さなバイパス流路が設けられ、前記流動口には、所定の吸引力では閉じられ、所定の吸引力を超えたときに開弁する第２の逆止弁を設けたことを特徴とする請求項４に記載の掃除機。
【請求項６】
複数の前記叩き部は、互いに異なる位相で上下方向に揺動し、複数の前記パッド部を前記対象物に対して交互に突き当てることを特徴とする請求項１〜５のいずれか一項に記載の掃除機。
【発明の詳細な説明】
【技術分野】
【０００１】
本発明は、掃除機であって、特に塵やほこりなどを吸い込む掃除機に関する。
【背景技術】
【０００２】
掃除機は通常、塵やほこりを清掃する掃除用の家電製品として使用されている。掃除機は、その機能が相次いで新しく開発され、紫外線放射管等の殺菌灯を内蔵し、床やカーペット等から塵、ほこりなどを吸い込み、吸い込んだ塵を殺菌灯から放射したＵＶライトで殺菌し、比較的きれいな空気を排出する掃除機が開発されている（例えば、特許文献１参照）。
【０００３】
また、掛布団、敷布団、ベッドマット、ベッドパッドなどの対象物を、内部に設けた叩き部で叩き、表面の塵、ほこりなどを叩き出すと同時に、掃除機の吸引力で吸い込み、吸い込んだ塵等を殺菌灯のＵＶライトで殺菌し、比較的きれいな空気を排出する機能を備えた掃除機も開発されている。
【０００４】
上述の掃除機は、図１８に示すように、本体９０を有し、該本体９０は、底部端縁部に吸引口９１を有している。本体９０の内部は、吸引口９１に隣接する端縁部から始まり、他端に向けて第一殺菌部９２、第二殺菌部９３、モーター９４、第三殺菌部９５の順に設けられ、第三殺菌部９５の下方には排出口９６が設けられている。また、本体９０の底部の前方には、吸引口９１と連通する前方溝９７が設けられ、この前方溝９７に叩き部９８が設けられている。
【０００５】
このような掃除機では、叩き部９８で叩き出された塵やほこりを吸引口９１で吸い込み、第一殺菌部９２、第二殺菌部９３など二回ＵＶライトで殺菌した後、モーター９４の吸引力を通して、吸引物が排出口９６から排出される。排出口９６に送られると、第三殺菌部９５で加熱ライトの加熱殺菌が実施され、最後の殺菌が行われる。
【０００６】
掛布団、ベッドマット、ベッドパッドなどの製品は、生地が比較的柔らかく、床のように硬質で固定された製品ではないため、掃除機を正常に作動すると、底部の吸引口９１の強い吸引力で掛布団、ベッドマット、ベッドパッドなどの柔らかい製品が吸着し、甚だしくは吸引口９１に吸い込まれ、吸引口９１が塞がれて、塵などの吸引が困難となることがある。そのため、吸引口９１と連通する前方溝９７に複数のリブ９９を設けることで、空気の流通路を確保している。
【０００７】
しかしながら、リブ９９を設けた分、叩き部９８の面積を大きくとることができないこと、リブ９９で掛布団などの対象物を押さえつけているため、叩き部９８の上下動による叩き力が規制されてしまうことなどから、リブ９９によって対象物から塵やほこりを叩きだすのに十分な叩き力などを得にくかった。したがって、従来技術では、塵やほこりなどを叩き出すことの可能な優れた叩き力と、対象物の巻き込みを抑制して塵やほこりなどの優れた吸引性能とを両立することは困難であり、これらを両立することが可能な掃除機の開発が望まれている。
【先行技術文献】
【特許文献】
【０００８】
【特許文献１】実用新案登録第３１０４０８６号公報
【発明の概要】
【発明が解決しようとする課題】
【０００９】
本発明は、上記の事情に鑑みて為されたもので、掛布団、毛布類、敷布団、ベッドマット、ベッドパッドなどの対象物から塵やほこりなどを良好に叩きだし、揺り動かしながら吸引することができ、かつ、吸引口が塞がれにくく、優れた吸引性能を維持することが可能であるとともに機能性に優れた掃除機を提供することを目的とする。
【課題を解決するための手段】
【００１０】
上記の目的を達成するため、本願に係る掃除機は、本体とダストボックスとを備え、本体は、ベースと、上蓋とを有し、ベースは、モーターと、複数の叩き部と、殺菌ライト座と、吸引口と、排気口と、前方溝と、底溝と、を有し、前方溝は、ベースの底部側面の端縁部に凹設され、前方溝内に、複数の叩き部が並列に設けられ、複数の叩き部は、上下方向に揺動する支柱と、対象物に突き当てるパッド部と、を各々備え、底溝は、ベースの底部に前方溝に貫通して設けられ、該底溝に、吸引口が設けられ、本体内には、モーターの外周に設けられた排気熱吸収板を介してモーターの排気熱を吸収した排気を排気口に導く排気路が設けられ、排気路内に、排気の排気熱を吸収する吸熱部と、ベースから露出し対象物に接触させて熱を伝える伝熱面とを有する熱吸収部材を配置したことを特徴とする。
【発明の効果】
【００１１】
本発明によれば、掛布団、毛布類、敷布団、ベッドマット、ベッドパッドなどの対象物から塵やほこりなどを良好に叩きだし、揺り動かしながら吸引することができ、かつ、吸引口が塞がれにくく、優れた吸引性能を維持することが可能であるとともに機能性に優れた掃除機を提供することができる。
【図面の簡単な説明】
【００１２】
【図１】本発明の実施例１に係る掃除機を示した斜視図である。
【図２】実施例１に係る掃除機の分解図である。
【図３】実施例１に係る掃除機の底蓋、殺菌ライト座、本体を示した説明図である。
【図４】実施例１に係る掃除機を長手方向に切断した状態を示した断面図である。
【図５】実施例１に係る掃除機のダストボックスを示した説明図である。
【図６】実施例１に係る掃除機の殺菌ライト保護部材付近の断面図である。
【図７】実施例１に係る掃除機の発光表示部付近の断面図である。
【図８】実施例１に係る掃除機の叩き部の動作を示した説明図である。
【図９】本発明の実施例２に係る掃除機を示した部分拡大図である。
【図１０】本発明の実施例３に係る掃除機を示し、（ａ）は掃除機の斜視図であり、（ｂ）はダストボックスの分解図である。
【図１１】本発明の実施例４に係る掃除機の叩き部を示した斜視図である。
【図１２】本発明の実施例５に係る掃除機の叩き部を示した斜視図である。
【図１３】本発明の実施例６に係る掃除機の叩き部を示した斜視図である。
【図１４】本発明の実施例７に係る掃除機を示した長手方向断面図である。
【図１５】実施例７に係る掃除機の裏面側を示した斜視図である。
【図１６】実施例７に係る掃除機の熱吸収部材と排気フィルターユニット部分を示した一部切り欠き図である。
【図１７】実施例７に係る掃除機の熱吸収部材とベース部分との分解斜視図である。
【図１８】従来の掃除機を示した長手方向断面図である。
【発明を実施するための形態】
【００１３】
本発明の掃除機は、本体とダストボックスとを備え、
前記本体は、ベースと、上蓋とを有し、ベースは、モーターと、複数の叩き部と、殺菌ライト座と、吸引口と、排気口と、前方溝と、底溝と、を有し、前方溝は、ベースの底部側面の端縁部に凹設され、前方溝内に、複数の叩き部が並列に設けられ、複数の叩き部は、上下方向に揺動する支柱と、対象物に突き当てるパッド部と、を各々備え、底溝は、ベースの底部に前方溝に貫通して設けられ、該底溝に、前記吸引口が設けられ、本体内には、モーターの外周に設けられた排気熱吸収板を介してモーターの排気熱を吸収した排気を排気口に導く排気路が設けられ、排気路内に、排気の排気熱を吸収する吸熱部と、ベースから露出し対象物に接触させて熱を伝える伝熱面とを有する熱吸収部材を配置している。
【００１４】
この構成により、広面積の複数の叩き部によって、掛布団、毛布類、敷布団、ベッドマット、ベッドパッドなどから塵やほこりなどを良好に叩きだし、揺り動かしながら吸引することができる。また、広面積の複数の叩き部によって、対象物を押さえつけることで、吸引口に対象物が巻き込まれにくくなるとともに、吸引口が塞がれにくく、塵やほこりなどの吸引性能の低下を抑制することができる。その結果、優れた吸引性能を維持することが可能で機能性に優れたな掃除機を実現することができる。更に、モーターの排気熱を熱吸収部材で吸収し、伝熱面を介して対象物に伝熱することで、対象物内の水分等を効率的に乾燥させることができ。また、熱によって対象物内のダニやウィルス、微生物等を殺菌する効果も向上させることができ、機能性をより向上させることができる。
【００１５】
また、本発明の掃除機は、本体とダストボックスとを備え、本体は、ベースと、上蓋とを有し、ベースは、モーターと、複数の叩き部と、殺菌ライト座と、第一吸引口と、排気口と、前方溝と、底溝と、を有し、ダストボックスは、本体の上蓋に設けられ、該ダストボックス内に形成され排気口に貫通する気道と、該気道および第一吸引口の間に設けられた開口と、該開口に設けられた逆止弁と、ダストボックスの一端に設けられ気道に貫通する第二吸引口と、を有して構成される。複数の叩き部は、上下方向に揺動する支柱と、対象物に突き当てるパッド部と、を各々備え、前方溝は、ベースの底部側面の端縁部に凹設され、該前方溝内に、複数の叩き部が並列に設けられ、底溝は、ベースの底部に前方溝に貫通して設けられるとともに、前記第一吸引口を備えた底蓋により被覆されている。
【００１６】
この構成により、第一吸引口が掛布団などの掃除の対象物を吸い込んで塞がれた状態になっても、第二吸引口から気道内に空気を送ることが可能であるとともに、広面積の複数の叩き部によって対象物を押さえつけることができる。そのため、第一吸引口の吸引力が過度に大きくなるのを抑制し、第一吸引口から容易に対象物を引き剥がすことができるとともに、塵やほこりなどの吸引性能の低下を抑制することができる。その結果、掛布団、毛布類、敷布団、ベッドマット、ベッドパッドなどから塵やほこりなどを良好に叩きだし、揺り動かしながら吸引することができ、かつ、各吸引口が塞がれにくく、優れた吸引性能を維持することが可能であるとともに機能性に優れた掃除機を実現することができる。以下、本発明の具体的な実施例について、図面を参照して説明する。
【００１７】
＜実施例１＞
図１は、本発明の実施例１に係る掃除機を示した斜視図である。図１に示すように、本発明の実施例１に係る掃除機は、本体１０と、該本体１０に設けられたダストボックス３０と、該ダストボックス３０上に設けられた第二吸引口３２とを備えて構成される。
【００１８】
図１から図３に示すように、本体１０は、ベース１１と、上蓋１４と、ダストボックス３０と、叩き部２０と、殺菌ライト座４０とを備えている。
【００１９】
ベース１１と上蓋１４とは、上下に対応して組み合わされ、螺子によって接続固定される。ベース１１は、端縁部の側面に形成された凹溝１１１と、該凹溝１１１の下方に隣接して底部側面に凹設された前方溝１１２と、底溝１１３とを備えている。前方溝１１２や底溝１１３などを設けた領域以外のベース１１の底部の表面は、塵などの吸引の際に、敷布団や掛布団などの対象物に接触させて該対象物を押さえつける押さえ部１１６となっている。
【００２０】
前方溝１１２は、一対（２つ）の叩き部２０を設けるためのものである。前方溝１１２は、ベース１１の底部側面の端縁部に扇状に凹設されて形成され、この前方溝１１２内に、一対の叩き部２０を左右に並列に設けている。
【００２１】
底溝１１３は、ベース１１の底部に前方溝１１２に貫通して設けられている。底溝１１３には、該底溝１１３の形状に対応して形成された底蓋１２によって被覆されている。該底蓋１２は、螺子によりベース１１に接続固定されている。該底蓋１２には、複数の孔が形成され、第一吸引口１２１を構成している。底溝１１３を底蓋１２で被覆しているため、掛布団などの柔らかい対象物が底溝１１３内に巻き込まれるのを抑制することができる。また、底溝１１３に接続した状態で、底蓋１２の表面と、押さえ部１１６とは段差がなくフラット（面一）となっているため、塵などの吸引時の対象物の押さえつけを、良好に行うことができる。
【００２２】
ベース１１は、底部側面に回転自在のタイヤ１１４が設けられている。ベース１１は、底蓋１２が設けられた端縁部に対向する端縁部に、モーター１３が接続されている。該モーター１３の前方端縁部には、複数の流動槽１３２が設けられている。
【００２３】
また、ベース１１は、モーター１３の下方に排気口１１５が設けられている。ベース１１に対応して、該ベース１１を被覆するように設けられた上蓋１４は、側面に傾斜を備えた組み合わせ口１４１が設けられている。該組み合わせ口１４１は、図２、図４に示すように、内側上方端縁部に、ダストボックス３０を位置決めするための凸部１４２が設けられている。
【００２４】
上蓋１４は、モーター１３を設けた一端に対応して、ハンドル１５が螺子により固定されている。該ハンドル１５には、モーター１３のスイッチ１５１が電気的に接続されて設けられている。スイッチ１５１は、モーター１３の開始、或いは停止を制御するために用いられる。
【００２５】
一対の叩き部２０と該叩き部２０の駆動部２５とは、ベース１１に設けられる。図２、図４、図８に示すように、各叩き部２０は、掛布団などの清掃の対象物に突き当てるパッド部２１ａと、該パッド部２１ａの中央に突出した支柱２１ｂとを有している。また、パッド部２１ａは、対象物へ接触する表面に複数の小さな突起２１ｃを設けることで、叩き力を低下させることなく、対象物への不測の貼りつきを抑制している。このような叩き部２０を一対、前方溝１１２内に、短手方向に並列となるように配置し、支柱２１ｂをベース１１の外側から内側に挿入している。よって、図３、図８に示すように、一対の叩き部２０のパッド部２１ａがベース１１の外側に露出された状態になる。
【００２６】
従来は、前方溝にリブなどを設けていたため、前方溝の表面積と比較して狭い面積のパッド部を設けるしかなく、掛布団などの上下動もリブで規制されるため、掛布団などの対象物に対する叩き力および対象物を揺り動かす揺すり量が十分ではなかった。しかし、本発明に係る実施例１では、前方溝１１２にリブなどの突起物を何ら設けていないため、パッド部２１ａをより広面積に形成することができるとともに、リブによる対象物の揺動に対する規制がない。そのため、パッド部２１ａをより自由に、かつ、より長い距離を揺動させることができる。なお、本実施例では、一対のパッド部２１ａは、前方溝１１２に並列に配置した状態で、該前方溝１１２の面積の半分以上を占めるような面積で形成している。
【００２７】
本実施例のようにパッド部２１ａを広面積で、しかも、一対並列に配置することで、掛布団などの対象物に対して、より強い叩き力および揺すり量を実現することができる。なお、パッド部２１ａの形状が略六角形に限定されることはなく、対象物に対する良好な叩き力および揺すり量が得られれば、四角形、五角形などの多角形、円形、楕円形など、様々な形状とすることができる。
【００２８】
上述のような構成の各叩き部２０の支柱２１ｂを、ベース１１内に挿設し、長方形の片体２２の両側にそれぞれ固定接続している。該片体２２は、一端がベース１１内の柱２２１に活動自在に設けられることで、該片体２２が軸接して上下に揺動する。片体２２の他端は、永久磁石２２２が固定されている。
【００２９】
片体２２を介して叩き部２０を駆動する駆動部２５は、ベース１１内部に隣接する前方溝１１２に位置決めされている。該駆動部２５は、二つの電磁鉄、すなわち、電磁鉄Ｎ極２６と電磁鉄Ｓ極２７とを備えて構成される。電磁鉄Ｎ極２６、電磁鉄Ｓ極２７によって、永久磁石２２２は交互に電磁的な吸引力を発生し、永久磁石２２２及び片体２２を上下に揺動させる。
【００３０】
このような片体２２の上下の揺動および第一吸引口１２１の吸引力により、該片体２２に固定された一対の叩き部２０が、上下に揺動することで、掛布団などの対象物を叩くことと揺り動かすことが可能となる。このため、第一吸引口１２１に位置する対象物が反復して叩かれ、かつ、揺り動かされ、対象物内の塵やほこりが叩き出されるなどされ、塵やほこりを対象物から分離することができる。また、この作用により、掛布団などの柔らかい対象物であっても掃除機内に巻き込まれにくく、吸引力の低下を抑制することができる。
【００３１】
ダストボックス３０は、上蓋１４の組み合わせ口１４１に設けられる。図１、図２、図４、図５に示すように、ダストボックス３０は、蓋体３１と、中空体３３と、弁座３５とを有している。
【００３２】
蓋体３１は、はじき部３１１を有している。該はじき部３１１の一端を手ではじき上げることで、上蓋１４の組み合わせ口１４１からダストボックス３０を容易に外すことができ、はじき部３１１を押さえることで、組み合わせ口１４１に対してダストボックス３０を容易に位置決めすることができる。蓋体３１の他端には、組み合わせ口１４１に設けられた凸部１４２と係合する係合溝３１２が設けられている。
【００３３】
はじき部３１１は、係合溝３１２に向けて上昇するように傾斜を備えて形成され、はじき部３１１に隣接する位置に、第二吸引口３２が設けられている。互いに隣接する第二吸引口３２と蓋体３１との間の底部側面には、縦方向に延伸して片状に切断された複数のスリット状の流動口３１４を備えた柵片３１３が設けられている。
【００３４】
中空体３３は中空であり、一端に第一接続口３３１が形成されている。該第一接続口３３１は、螺子により接続固定された蓋体３１によって被覆されている。中空体３３の他端には、中空の弁座３５を装着するための第二接続口３３２が形成されている。該第二接続口３３２から、中空体３３内に弁座３５を挿入して接続する。
【００３５】
弁座３５は、一端に内径が比較的小さい小径端縁部３５１を備え、他端に円錐状に拡大した大径端縁部３５２を備えている。該弁座３５は、小径端縁部３５１を中空体３３に挿入し、大径端縁部３５２が第二接続口３３２に貼着するように設けられている。弁座３５には、袋状のフィルター３５３が接続され、モーター１３の回転による吸引力で、中空体３３内の塵などが排気口１１５側に流出して排気されるのを防止している。
【００３６】
中空体３３は、弁座３５の下方面に開口３４１が設けられている。該開口３４１は、本体１０の下方に設けられた第一吸引口１２１に、底溝１１３を介して貫通している。該開口３４１には、中空体３３の内部側に、該開口３４１よりも面積が大きい弁体３４が設けられている。該弁体３４は通常、平らな状態で開口３４１を被覆した状態に設けられ、ダストボックス３０の蓋体３１と中空体３３、弁座３５との間に気道３６を形成している。
【００３７】
そして、中空体３３の底部下から上方に流れた気流が弁体３４を上方に押し上げることで、弁体３４が翻り、開口３４１から離れると、気流が開口３４１から気道３６に進入し、第二吸引口３２、気道３６、開口３４１を介して第一吸引口１２１に貫通した状態になる。
【００３８】
弁体３４は、開口３４１の面積よりも広面積に形成されているため、弁体３４が開口３４１の方向に移動して開弁することがなく、弁体３４は上方（中空体３３の内部方向）に翻るのみで、単一方向のみに開弁する単一弁（逆止弁）の働きを有する。そのため、第一吸引口１２１から吸い込まれた塵などが、開口３４１から中空体３３内に流入するが、いったん中空体３３内に吸い込まれた塵などが、開口３４１から第一吸引口１２１側に逆流することはない。
【００３９】
ダストボックス３０は、上蓋１４の組み合わせ口１４１を塞ぐように設けられ、柵片３１３の底端が組み合わせ口１４１の内面を跨ぐように設けられている。ダストボックス３０を上蓋１４の組み合わせ口１４１に装着すると、係合溝３１２が、凸部１４２と凸凹を利用して係合し、ダストボックス３０が本体１０に位置決めされる。同時に、弁座３５も、気道３６、流動槽１３２、モーター１３、排気口１１５に貫通する空気の経路を形成する。
【００４０】
ダストボックス３０の上蓋１４への装着により、はじき部３１１と凹溝１１１との間には、適宜な空間が形成される。該空間に使用者が手を挿入してはじき部３１１を作動させることで、ダストボックス３０の本体１０への装着や、取り外しを制御することができる。
【００４１】
殺菌ライト座４０は、ベース１１の底溝１１３内に、第一吸引口１２１に隣接して設けられている。該殺菌ライト座４０は、二組の殺菌ライト保護部材４２に電気的に接続している。図２、３、６、７に示すように、殺菌ライト座４０は、殺菌用のＵＶライトからなる。殺菌ライト保護部材４２を介してスイッチ１５１を動かすと、該殺菌ライト保護部材４２に電気的に接続した殺菌ライト座４０が始動して、ＵＶライトが発光する。
【００４２】
以下、図６を用いて、殺菌ライト座４０の作動手段について説明する。図６に示すように、殺菌ライト保護部材４２は、一端にフック４２１が設けられている。該フック４２１に対応してベース１１に設けられた孔４２２に、該フック４２１を係合する。よって、殺菌ライト保護部材４２が、それぞれフック４２１の外端でベース１１から外側に露出して突出する。
【００４３】
殺菌ライト保護部材４２のフック４２１をベース１１の孔４２２の内部に挿入すると、フック４２１の端縁面が、ベース１１内に設けたバネ４３の一端に当接する。該バネ４３の他端が微動スイッチ４４の弾性片４４１に当接する。フック４２１には、逆さ溝フックが設けられているため、殺菌ライト保護部材４２がベース１１の孔４２２に挿入されると、抜け落ちることがなく、制限された空間を上下に移動する。
【００４４】
微動スイッチ４４はスイッチ１５１に電気的に接続している。よって、殺菌ライト保護部材４２を押圧すると、バネ４３が圧縮されて、図６に点線で示すように、殺菌ライト保護部材４２の位置が移動する。この移動により、弾性片４４１が微動スイッチ４４を始動し、微動スイッチ４４に電気的に接続したスイッチ１５１を始動することで、殺菌ライト座４０が始動して発光する。
【００４５】
二組の殺菌ライト保護部材４２はそれぞれベース１１の両側に設けられ、どちらの殺菌ライト保護部材４２も確実に柔らかい対象物に接触し、いずれも殺菌ライト座４０に接触してこれを作動する。よって、形状の安定しない柔らかい対象物などへ接触しても、どちらかの殺菌ライト保護部材４２が作動して、確実に殺菌ライト座４０を作動させることができる。
【００４６】
本体１０には、図７に示すように、二組の発光表示部４６が設けられている。該発光表示部４６はそれぞれ、上蓋１４の組み合わせ口１４１の両側に設けられた長孔４６１（図１、図７参照）に、殺菌ライト座４０に対応して嵌設されている。該発光表示部４６は、センサーによって光る機能を備えてなり、殺菌ライト座４０が発光すると、反応して点灯する。よって、殺菌ライト座４０の始動、殺菌状態を表示して使用者に知らせることができる。
【００４７】
以上のような構成の実施例１の掃除機の動作を説明する。掛布団など対象物に、本体１０のベース１１の底面が接触すると、殺菌ライト保護部材４２が該柔らかい対象物に接触し、微動スイッチ４４が始動する。該微動スイッチ４４の始動により、スイッチ１５１の経路が形成され、一対の叩き部２０が上下に揺動して、パッド部２１ａによって対象物を叩き始めるとともに揺り動かし始めることで、対象物から塵やほこりが飛び上がり舞い上がる。このように、一対の叩き部２０の広面積に形成されたパッド部２１ａが上下に揺動することによって、対象物をより強く広面積に叩き、かつ、揺り動かすことができ、該対象物からの塵やほこりの除去効果を高めることができる。
【００４８】
そして、モーター１３が駆動して回転することにより、吸引力が発生し、舞い上がった塵やほこりが第一吸引口１２１から本体１０内部に吸引される。また、この吸引力によって弁体３４が中空体３３の内部方向に翻り、開口３４１が開口し、塵やほこりを含んだ空気が気流となって中空体３３内に流入する。また、本体１０の周囲に舞い上がった塵やほこりは、第二吸引口３２からも中空体３３内に吸い込まれる。中空体３３内に流入した空気は、弁座３５、流動槽１３２を通過した後、排気口１１５から外部に排出されるが、塵やほこりはフィルター３５３によって吸着され、外部に排出されることはなく、中空体３３内に蓄積される。
【００４９】
殺菌ライト座４０は、ＵＶライトによって、接触している対象物や第一吸引口１２１から吸引された塵やほこりに付着しているウィルスや微生物を殺菌する。そのため、排気口１１５からは、殺菌がされた比較的きれいな空気が排出される。
【００５０】
また、柔らかい対象物に接触させることで、第一吸引口１２１が塞がれた場合でも、第二吸引口３２が設けられているため、第二吸引口３２が気流を内部に取り入れる役目を果たす。さらに、第一吸引口１２１に貫通して設けた前方溝１１２からも気流が取り入れられるため、気道３６の一部である第一吸引口１２１の吸引力が過度に大きくなるのを抑制することができる。そのため、使用者はスムーズに、比較的すばやく第一吸引口１２１を塞いでいる対象物を取り除くことができる。また、第二吸引口３２による気流を取り入れる作用によって、室内の空気をろ過することができる。また、モーター１３に過度の負荷がかかるのを良好に抑制して、モーター１３の発熱を防止し、耐久性を向上させることもできる。
【００５１】
以上、実施例１の掃除機では、掛布団、毛布類、敷布団、ベッドマット、ベッドパッドなどの清掃の対象物を十分な叩き力で叩き、かつ、十分な揺すり量で揺り動かすことで、対象物から塵やほこりなどを良好に叩きだし、対象物を揺り動かしながら吸引することができる。また、柔らかい掛布団などを吸引した場合でも吸引口が塞がれにくく、吸引力の低下を抑制して、優れた吸引性能を維持し、機能性を高めることができる。
【００５２】
なお、本実施例では、構成を簡易とすることから、柱２２１に活動自在に設けられた一端を軸として上下に揺動する片体２２に一対の叩き部２０を並列に設けているため、一対の叩き部２０が同期して上下に揺動する。しかし、本願がこれに限定されることはなく、例えば、片体２２の中央を中心に、該片体２２が振動し、一端と他端とが交互に上下に揺動するように構成し、片体２２の一端と他端とにそれぞれ叩き部２０を設けることもできる。この構成により、一対の叩き部２０が異なる位相で上下に揺動し、一対の叩き部２０で交互に対象物を叩くため、前方溝１１２内の気道を確保し易くなり、対象物によって第一吸引口１２１などが塞がれるのを、より防止することができる。また、叩き部２０の揺動手段は、片体２２やその駆動部２５によるものに限定されることはなく、他の何れの手段でも用いることができる。また、叩き部２０が一対（２つ）に限定されることもなく、３以上の叩き部２０を設けることもできる。
【００５３】
＜実施例２＞
次に、本発明の実施例２に係る掃除機について、図９を参照して説明する。実施例２の掃除機は、ダストボックス３０の蓋体３１の構成が異なること以外は、図１等に示す実施例１の掃除機と同様の構成を有しているため、詳細な説明は省略する。以下、実施例１と異なる構成について説明する。図９に示すように、実施例２に係る掃除機のダストボックス３０では、蓋体３１の柵片３１３に溝５１が設けられ、滑動自在の調整片５０を構成している。
【００５４】
該調整片５０は、一端にボタン５２が設けられ、該ボタン５２を作動して流動口３１４をすべて遮断するか、又は一部を遮断するか、或いは全開することができる。このように流動口３１４の開口量を調整することにより、第二吸引口３２を調整して気道３６に進入する気流量を調整する空気制御の役割を果たすことができる。したがって、例えば、敷布団などの比較的吸引口に巻き込まれにくい対象物を清掃する際には、流動口３１４を遮断して、第一吸引口１２１での吸引を重点的に行うことができる。また、掛布団などの柔らかい対象物を清掃する際には、流動口３１４を全開して、第二吸引口３２から気道３６に侵入する気流量を多くすることで、第一吸引口１２１が塞がれた際にも、気流を確保して、対象物を容易に取り除くことが可能となる。
【００５５】
＜実施例３＞
次に、本発明の実施例３に係る掃除機について、図１０を参照して説明する。実施例３に係る掃除機は、外観およびダストボックス３０の構成が異なること以外は、本体１０の内部構造など、実施例１の掃除機と同様の基本構成を有している。そのため、詳細な説明は省略する。以下、実施例１と異なる構成について説明する。
【００５６】
図１０（ａ）に示すように、実施例３の掃除機は、ベース１１の底部側面に前方溝１１２を凹設しているが、側面に凹溝を設けていない点で、実施例１と異なる。実施例３のダストボックス３０は、図１０（ｂ）に示すように、蓋体３１と、中空体３３と、弁座３５とを有している。蓋体３１には、第二吸引口３２が設けられるとともに、両側にはじき部３１１が設けられている。このはじき部３１１に対応して、上蓋１４に設けた組み合わせ口１４１の両端には、凹部１４３が設けられている。よって、ダストボックス３０の上蓋１４への装着により、はじき部３１１と凹部１４３との間には、適宜な空間が形成される。該空間に使用者が手を挿入してはじき部３１１を作動させることで、ダストボックス３０の本体１０への装着や、取り外しを容易に行うことができる。
【００５７】
組み合わせ口１４１には、突没自在な凸部（図示せず）が設けられている。一方、中空体３３の上面には、該凸部を案内して係合する係合溝３７が形成されている。この凸部と係合溝３７との係合により、ダストボックス３０の位置決めがされるとともに、該ダストボックス３０が不測に脱落することのないように固定される。
【００５８】
また、中空体３３の下方に設けられた開口３４１には、単一方向のみに開弁する単一弁（逆止弁）の働きを有する弁体３４が接続されている。また、中空体３３の他端に設けられた第二接続口３３２に、小径端縁部３５１と大径端縁部３５２とを有する弁座３５が装着され、大径端縁部３５２が第二接続口３３２に貼着している。また、弁座３５には、取り外して交換が可能なフィルター３５３が取り付けられている。
【００５９】
上蓋１４に固定されたハンドル１５には、押しボタン式のスイッチ１５１がモーター１３と電気的に接続されて設けられている。スイッチ１５１の下方に、殺菌ライト座４０の発光に反応して点灯する発光表示部４６が設けられている。また、この発光表示部４６に隣接して、掃除機の作動に対応して点灯する表示部や吸引に対応して点灯する表示部、叩き部２０の揺動動作に対応して点灯する表示部を設けることができる。
【００６０】
以上のような構成の実施例３の掃除機でも、掛布団、ベッドマット、ベッドパッドなどの清掃の対象物を十分な叩き力で叩き、かつ、十分な揺すり量で揺り動かすことで、対象物から塵やほこりなどを良好に叩きだし、かつ、揺り動かしながら吸引することができる。また、柔らかい掛布団などを吸引した場合でも第一吸引口１２１が塞がれにくく、吸引力の低下を抑制して、優れた吸引性能を維持することができる。さらに、ダストボックス３０の着脱やゴミの廃棄も容易であり、フィルター３５３を交換することが可能で、目詰まりなどによる吸引力の低下を抑制することができるとともに、より清潔な使用が可能となる。また、操作性やデザイン性、機能性にも優れた掃除機を実現することができる。
【００６１】
＜実施例４＞
次に、本発明の実施例４に係る掃除機で用いられる叩き部２０について、図１１を参照して説明する。実施例４に係る掃除機としては、叩き部２０以外は、実施例１または実施例３と同様の基本構成の掃除機を用いることができる。
【００６２】
実施例４の叩き部２０は、図１１に示すように、パッド部２１ａに、複数の貫通孔２１ｄを設けている。なお、貫通孔２１ｄは、少なくとも１つ設ければよい。この構成により、貫通孔２１ｄを空気が流動するため、気流の圧力などが小さく、叩き部２０の揺動をより円滑に行うことができ、対象物を十分な叩き力で叩き、かつ、十分な揺すり量で揺り動かして、対象物から塵やほこりを効率的に叩きだし、かつ、対象物を揺り動かすことができる。また、貫通孔２１ｄを介して塵やほこりを前方溝１１２および第一吸引口１２１に吸引させることもでき、吸引性能を向上させることができる。さらに、吸引力により、柔らかい対象物を前方溝１１２内に吸い込んだ場合でも、貫通孔２１ｄを空気が流動することで、前方溝１１２が対象物によって塞がれにくくなり、吸引性能の低下を抑制することができる。このように、叩き部２０によって対象物から塵やほこりを良好に叩きだし、揺り動かしながら吸引することができ、吸引性能や機能性に優れた掃除機を実現することができる。
【００６３】
＜実施例５＞
次に、本発明の実施例５に係る掃除機で用いられる叩き部２０について、図１２を参照して説明する。実施例５に係る掃除機としては、叩き部２０以外は、実施例１または実施例３と同様の基本構成の掃除機を用いることができる。
【００６４】
実施例５の叩き部２０は、図１２に示すように、パッド部２１ａの対象物に接触させる側の面に、複数のエア噴射口２１ｅを設けている。該エア噴射口２１ｅは、支柱２１ｂ内に挿通した、エア供給管２１ｆと連通している。該エア供給管２１ｆには、エア供給源（図示せず）から高圧エアが供給される。
【００６５】
以上、実施例５では、パッド部２１ａに、エア供給源（エア供給手段）から供給されるエアを、対象物に対して噴射するエア噴射口２１ｅを少なくとも１つ設けている。この構成の叩き部２０では、対象物を叩く際に、パッド部２１ａのエア噴射口２１ｅから対象物に対して高圧エアを噴射することで、掛布団内の繊維などに絡んだ塵などを繊維から引き剥がし易くなり、パッド部２１ａによって叩きだすことや揺り動かすことを容易にすることができる。そのため、より多くの塵やほこりを叩き部２０によって対象物から効率的に叩きだし、対象物を揺り動かしながら吸引することができ、吸引性能や機能性に優れた掃除機を実現することができる。
【００６６】
なお、実施例５では、叩き部２０のパッド部２１ａには、エア噴射口２１ｅを、単独で設け、上記実施例１等では、突起２１ｃを単独で設け、上記実施例４では貫通孔２１ｄを単独で設けているが、本発明がこれらに限定されることはない。エア噴射口２１ｅ、突起２１ｃ、貫通孔２１ｄを適宜組み合せてパッド部２１ａに設けることもでき、上述した各性能を兼ね備えた製品を得ることができる。また、これらを何ら設けずに、フラットなパッド部２１ａとしてもよく、この場合は叩き部２０をより簡易に形成することができる。
【００６７】
＜実施例６＞
次に、本発明の実施例６に係る掃除機について、図１３を参照して説明する。実施例６の掃除機は、ダストボックス３０の蓋体３１の構成が異なること以外は、図１等に示す実施例１の掃除機と同様の構成を有しているため、詳細な説明は省略する。以下、実施例１と異なる構成について説明する。図１３に示すように、実施例６に係る掃除機のダストボックス３０では、蓋体３１に、中空体３３の底面方向に延伸し、第二吸引口３２と中空体３３内とを遮断する柵片３１３を設けている。該柵片３１３には、第二吸引口３２と中空体３３内とを貫通させる流動口３１４が設けられ、該流動口３１４には、中空体３３方向のみに開弁する開閉弁３８が設けられている。また、柵片３１３と中空体３３の底面との間に、第二吸引口３２と中空体３３内とを貫通させ、流動口３１４と比較して開口面積の小さな隙間状のバイパス流路３１５が設けられている。
【００６８】
以上の構成により、掃除機の通常の使用による所定の吸引力では、開閉弁３８が開弁することがなく、流動口３１４が閉じられており、第二吸引口３２は、バイパス流路３１５を介して中空体３３内の気道３６と貫通した状態となっている。そして、第二吸引口３２の周囲に舞い上がった塵などを含む気流は、吸引力の作用により第二吸引口３２から吸引され、バイパス流路３１５を通過して中空体３３内に吸い込まれる。また、第二吸引口３２の作用により、第一吸引口１２１の吸引力が必要以上に大きくなるのを抑制し、良好な吸引性能を維持することができる。
【００６９】
一方、掛布団などの柔らかい対象物の吸引を行った場合などにおいて、第一吸引口１２１や前方溝１１２などに対象物が貼りついて塞がれ、モーター１３による吸引力が所定以上に過度に大きくなることがある。この場合、大きな吸引力によって、開閉弁３８が開弁し、流動口３１４が開口する。該流動口３１４の開口により、第二吸引口３２から気道３６に侵入する気流量が多くなるため、第一吸引口１２１が塞がれた際にも、気流を確保することができ、対象物を容易に取り除くことが可能となる。また、対象物を取り除くことで、第一吸引口１２１の吸引力が所定に戻ると、開閉弁３８が閉弁し、流動口３１４が閉じられ、第二吸引口３２はバイパス流路３１５を介して中空体３３内と貫通する。
【００７０】
以上、実施例６では、掛布団、ベッドマット、ベッドパッドなどの清掃の対象物を十分な叩き力で叩き、かつ、十分な揺すり量で揺り動かすことで、対象物から塵やほこりなどを良好に叩きだし、対象物を揺り動かしながら吸引することができる。特に、掃除機内が所定の吸引力を超えたときに開閉弁３８が開弁し、流動口３１４が開口して吸引力を所定に戻すことで、モーター１３に過度の負荷がかかるのを良好に抑制して、モーター１３の発熱を防止し、耐久性を向上させることができる。よって、柔らかい掛布団などを吸引した場合でも吸引口が塞がれにくく、吸引力の低下を抑制して、優れた吸引性能を維持し、機能性を向上させることができる。
【００７１】
＜実施例７＞
次に、本発明の実施例７に係る掃除機について、図１４〜図１７を参照して説明する。実施例７に係る掃除機は、実施例１等に係る掃除機と基本構成は同じであるため、実施例１と同様の構成部品については、実施例１と同様の符号を付し、詳細な説明を省略する。以下では、実施例１等と異なる構成について主に説明する。実施例７に係る掃除機は、対象物からの塵等の除去を優れた吸引性能を維持しつつ行えることに加え、モーター１３の排気熱を利用して、汗などがしみ込んだ対象物を乾燥すること等に特徴がある。
【００７２】
実施例７に係る掃除機は、ベース１１の底部側面に凹設された前方溝１１２内に、対象物内の塵等を叩き出す複数の叩き部２０が設けられている。この前方溝１１２に貫通してベース１１に設けられた底溝１１３は、モーター１３の回転による吸引力で、塵等を本体１０内部に吸引する第一吸引口１２１となっている。また、底溝１１３には、回転により掛布団などの対象物から塵等をかき出す回転ブラシ１６が回転可能に取り付けられている。回転ブラシ１６によってかき出された塵等は、第一吸引口１２１から本体１０内部に吸引される。
【００７３】
また、ベース１１の底部に凹設された第２底溝１１７内に、殺菌ライト座４０が設けられている。殺菌ライト座４０の上蓋１４側は、ライトカバー４１で被覆され、ＵＶライトからの光の上方への漏れを抑制している。このライトカバー４１は、実施例７のダストボックス３０に対向する部位に開口部４１１を設けることで、ＵＶライトの光の一部をダストボックス３０の方向に照射可能となっている。第２底溝１１７は、押さえ部１１６とフラットとなるように底蓋１２で被覆されている。
【００７４】
ダストボックス３０は、蓋体３１、中空体（集塵容器）３３、気道３６、及びフィルター３５３等を備えている。ダストボックス３０を上蓋１４の組み合わせ口１４１に取り付けると、中空体３３の底部３３３が、ライトカバー４１の開口部４１１に近接して配置される。中空体３３の底部３３３の壁面には、ＵＶライトからの光を透過可能なガラス板や樹脂板等をはめ込んだ光透過部３３４が設けられている。したがって、中空体３３内に集められた塵等に、開口部４１１及び光透過部３３４を介してＵＶライトの光を照射することができ、中空体３３内のダニやウィルス等の殺菌効果を向上させることができる。また、蓋体３１等によってＵＶライトの光がユーザ側に漏れるのを抑制している。なお、開口部４１１は、図１７では光透過部３３４に対応した大きさとしているが、ライトカバー４１の耐久性や光の強度の調整等の観点から小孔を複数開口した構成等とすることもできる。
【００７５】
また、実施例７のダストボックス３０は、モーター１３の回転による吸引力で中空体３３内に旋回気流を発生させ、中空体３３内に吸引した塵等を旋回気流の遠心力によって分離し回収するサイクロン方式を採用している。なお、実施例７のダストボックス３０がサイクロン方式に限定されることはなく、上記実施例１〜６の掃除機のダストボックス３０を採用することもできる。また、実施例１〜６の掃除機でも、サイクロン方式のダストボックス３０とすることもできる。ダストボックス３０の中空体３３内で塵等が分離された空気（排気）は、フィルター３５３によって埃等が濾過された後、モーター１３側に流出する。
【００７６】
モーター１３の前方端縁部には、排気熱吸収板としての複数の排気熱吸収フィン１３４が設けられている。モーター１３は、モーターカバー１３１によって被覆され、このモーターカバー１３１内は排気が流動する排気路１３３となっている。ダストボックス３０から排出された空気（排気）は、排気路１３３を通過する際に、排気熱吸収フィン１３４を介してモーター３０の排気熱を吸収する。
【００７７】
モーター１３の後方には、排気フィルターユニット６０が設けられている。排気フィルターユニット６０の内部空間６１（この内部空間６１も排気路の一部を構成する）内には、排気フィルター６２が収納されている。この排気フィルター６２によって、ダストボックス３０のフィルター３５３で濾過された排気をさらに濾過することで、塵等がより除去された、よりきれいな排気を外部に排出することが可能となる。
【００７８】
モーター１３及び排気フィルターユニット６０の下方には、熱吸収部材７０が設けられている。この熱吸収部材７０は、ヒートシンク等の吸熱及び放熱性に優れた部材により形成されている。熱吸収部材７０は、排気からの熱を吸収する吸熱部としての複数の板状のフィン７１と、対象物に接触させる伝熱面７２とを有している。熱吸収板７０とモーターカバー１３１との間には、排気路１３３及び排気フィルターユニット６０の内部空間６１と連通し排気フィルターユニット６０を通過した排気が流動する第２の排気路７３が設けられている。この第２の排気路７３内に、複数のフィン７１が配置され、第２の排気路７３内を流動する排気と熱交換を行って排気熱を吸収可能となっている。本実施例では、吸熱部を板状のフィン７１で構成しているが、これに限定されることはなく、複数の棒状、針状のフィン、蛇腹状のフィン等で構成することもできる。また、排気熱の吸熱性に優れていれば、吸熱部を他の形状の部材で構成することもできる。
【００７９】
複数のフィン７１によって効率的に吸収された熱は、伝熱面７２に伝熱される。この伝熱面７２は、ベース１１の後方端部に開口した開口部１１８から外部に露出している。この露出した伝熱面７２は、押さえ部１１６とフラットとなるように配置することで、掃除機の操作中に、熱吸収部材７０を対象物に接触させ易い構成としている。また、図１５に示すように、ベース１１の熱吸収部材７０の両側に、排気路７３を流動した排気が外部に排気される排気口１１５が設けられている。
【００８０】
上述のような構成の実施例７の掃除機では、モーター１３の吸引力により第一吸引口１２１から吸引された塵等を含む空気は、図１４に矢印で示すように、ダストボックス３０の中空体３３内に吸引され、気道３６を通過の際に旋回気流の遠心力によって埃等が分離され、さらにフィルター３５３によって濾過された後、図１４、図１６に示すように、モーターカバー１３１内の排気路１３３に排気として流入する。この排気路１３３内を排気が流動する際に、排気熱吸収フィン１３４を介して発熱したモーター１３から排気熱を吸収し、排気が５０〜５１℃程度に加熱される。加熱された排気は、排気フィルターユニット６０の内部空間６１内に流動し、排気フィルター６２によって塵等が濾過された後、熱吸収部材７０側の排気路７３に流出し、第２の排気路７３を流動した後、排気口１１５から外部に排出される。
【００８１】
第２の排気路７３を流動する際に、排気の熱がフィン７１によって吸収され、伝熱面７２に伝熱され、この伝熱面７２から対象物に伝熱されることで、対象物が５０℃程度に加熱される。この加熱により、汗等で湿った布団等の対象物を乾燥させることができる。また、平板状で比較的広面積の伝熱面７２でアイロンのように対象物の表面を移動しながら加熱するため、乾燥を効率的に行うことができる。さらに、熱によって対象物内のダニやウィルス、微生物等を殺菌する効果も向上させることができる。
【００８２】
また、ベース１１の両側に設けた排気口１１５から排気が排出されることで、この排気によっても対象物の乾燥やダニ等の殺菌効果を高めることができる。また、モーター１３の排気熱を排気が吸収することで、モーター１３の高温化を抑制して、耐久性を向上させることも可能となる。
【００８３】
以上、実施例７の掃除機によっても、叩き部２０で掛布団、毛布類、敷布団、ベッドマット、ベッドパッドなどの清掃の対象物を十分な叩き力で叩き、かつ、十分な揺すり量で揺り動かすことで、対象物から塵やほこりなどを良好に叩きだし、対象物を揺り動かしながら吸引して、塵等の除去効果を向上させることができる。また、第一吸引口１２１が塞がれにくく、吸引力の低下を抑制して、優れた吸引性能を維持することができる。また、熱吸収部材７０の伝熱面７２によって対象物を加熱することで、対象物を乾燥させることができ、より快適な仕上がり感が得られ、掃除機としての機能性も向上する。この乾燥のための熱は、加熱手段を別個に設けることなく、モーター１３の排気熱を利用するため、使用電力や製造コストを抑えることができる。さらに、ＵＶライトをダストボックス３０内に照射可能とすることで、殺菌効果を向上させることができ、機能性をさらに向上させることができる。また、ダストボックス３０のフィルター３５３や排気フィルターユニット６０にて塵等を除去しているので、よりきれいな排気を外部に排出することができる。
【００８４】
なお、実施例１〜実施例６の掃除機においても、実施例７と同様に、モーターの外周に排気熱吸収板を設けたり、排気路中に熱吸収部材や排気フィルターユニットを設けたりする構成とすることもできるし、ダストボックスを殺菌ライト座の上面に近接して配置し、該殺菌ライト座と対向する壁面に、該殺菌ライト座からの光を透過させる透過部を設けた構成とすることもできる。
【００８５】
以上、本発明の実施例を図面により詳述してきたが、上記実施例は本発明の例示にしか過ぎないものであり、本発明は上記実施例の構成にのみ限定されるものではない。本発明の要旨を逸脱しない範囲である限りは、設計の変更等は可能である。
【符号の説明】
【００８６】
１０  本体    １１  ベース    １１２  前方溝    １１３  底溝    １１５  排気口
１２  底蓋    １２１  第一吸引口    １３  モーター    １４  上蓋
２０  叩き部    ２１ａ  パッド部    ２１ｂ  支柱    ３０  ダストボックス
３１４  流動口    ３２  第二吸引口    ３３３  底部（壁面）
３３４  光透過部    ３４  弁体（逆止弁）    ３４１  開口  ３６  気道
３８  開閉弁（第２の逆止弁）    ４０  殺菌ライト座
６２  排気フィルター（フィルター部材）    ７０  熱吸収部材
７１  フィン（吸熱部）    ７２  伝熱面    ７３，１３３  排気路
１３４  排気熱吸収フィン（排気熱吸収板）
【図１】
2016034487.tif 000003
【図２】
2016034487.tif 000004
【図３】
2016034487.tif 000005
【図４】
2016034487.tif 000006
【図５】
2016034487.tif 000007
【図６】
2016034487.tif 000008
【図７】
2016034487.tif 000009
【図８】
2016034487.tif 000010
【図９】
2016034487.tif 000011
【図１０】
2016034487.tif 000012
【図１１】
2016034487.tif 000013
【図１２】
2016034487.tif 000014
【図１３】
2016034487.tif 000015
【図１４】
2016034487.tif 000016
【図１５】
2016034487.tif 000017
【図１６】
2016034487.tif 000018
【図１７】
2016034487.tif 000019
【図１８】
2016034487.tif 000020